(57)【特許請求の範囲】
【請求項１】
発泡成形体を被取付部材に取り付けるためのクリップ（１０）であって、
該被取付部材に設けられたクリップ係止用突起が挿入される挿入穴（１２）を有した筒状のクリップ本体（１１）と、
該挿入穴の内周面に設けられた、該クリップ係止用突起が係合する係合部と
を備えており、
該挿入穴は、該クリップ本体をその筒軸心線方向に貫通しており、
少なくとも該クリップ本体の筒軸心線方向の一端側が該発泡成形体に埋設されるようにして該発泡成形体と一体化されるクリップにおいて、
該クリップ本体の筒軸心線と垂直な断面において、該挿入穴（１２）の内周面は、該挿入穴の弦方向に延在した平坦部（１２ａ）と、該クリップ本体の外周側に凸に湾曲した湾曲部（１２ｂ）とを有しており、
前記係合部は、前記クリップ本体（１１）を外周側から前記挿入穴（１２）まで貫通した貫通孔（１６）よりなり、
該クリップ（１０）は、クリップ本体（１１）と、該クリップ本体（１１）の筒軸心線方向の一端側から放射方向へ外向き鍔状に張り出したアンカー部（１３）と、該クリップ本体（１１）の筒軸心線方向の他端側から放射方向へ外向き鍔状に張り出したフランジ部（１４）とを備えており、
該クリップ（１０）は合成樹脂の射出成形により成形されたものであり、
該クリップ（１０）を射出成形するためのクリップ成形用金型（３０）は、
クリップ本体（１１）の外周面、アンカー部（１３）のフランジ部（１４）側の面、及びフランジ部（１４）のアンカー部（１３）側の面を成形する第１及び第２の型（３１，３２）と、
該アンカー部（１３）のフランジ部（１４）と反対側の面を成形する第３の型（３３）と、
該フランジ部（１４）のアンカー部（１３）と反対側の面を成形する第４の型（３４）とを有しており、
第１の型（３１）及び第２の型（３２）のうち、クリップ本体（１１）の外周面を成形するキャビティ面からは、それぞれ、貫通孔（１６）を形成するための貫通孔形成用凸部（３５）が突設されており、第３の型（３３）のキャビティ面からは、挿入穴（１２）を形成するための挿入穴形成用凸部（３６）が突設されており、該挿入穴形成用凸部（３６）の外周面は、挿入穴（１２）の平坦部（１２ａ）を成形する平坦部（３６ａ）と、湾曲部（１２ｂ）を成形する湾曲部（３６ｂ）とを有しており、
これらの型（３１〜３４）を合体させて型締めした状態にあっては、挿入穴形成用凸部（３６）の先端が第４の型（３４）のキャビティ面に当接し、各貫通孔形成用凸部（３５）の先端がそれぞれこの挿入穴形成用凸部（３６）の外周面の各平坦部（３６ａ）に当接するようになっており、
成形時に挿入穴形成用凸部（３６）が存在していた部分が脱型後に挿入穴（１２）となり、各貫通孔形成用凸部（３５）が存在していた部分が貫通孔（１６）となっていることを特徴とするクリップ。
【請求項２】
請求項１において、前記クリップ本体の筒軸心線と垂直な断面において、前記挿入穴の内周面に、１対の前記平坦部が該クリップ本体の筒軸心線を挟んで対向するように設けられていることを特徴とするクリップ。
【請求項３】
請求項１又は２において、前記合成樹脂は、ＡＢＳ樹脂、ポリプロピレン樹脂、ポリカーボネート樹脂、ポリスチレン樹脂、又はポリアセタール樹脂であることを特徴とするクリップ。
【請求項４】
請求項１ないし３のいずれか１項において、前記クリップ本体の外周側に、前記貫通孔を封鎖した封体が設けられていることを特徴とするクリップ。
【請求項５】
請求項４において、前記封体は不織布よりなることを特徴とするクリップ。
【請求項６】
発泡成形体と、
請求項１ないし５のいずれか１項に記載のクリップと
を有し、
該クリップは、少なくとも前記クリップ本体の筒軸心線方向の一端側が該発泡成形体に埋設されることにより該発泡成形体と一体化されていることを特徴とする発泡成形部材。
【請求項７】
請求項６に記載の発泡成形部材を製造するための方法であって、
発泡成形体成形用金型の内面に設けられたクリップ固定用突起を前記挿入穴に挿入して前記クリップを該発泡成形体成形用金型の内面に取り付けるクリップ取付工程と、
該発泡成形体成形用金型内で前記発泡成形体を発泡成形する発泡成形工程と
を有しており、
該クリップ固定用突起の外周面には、該クリップ固定用突起が該挿入穴に挿入された状態において該挿入穴の内周面の前記平坦部に対峙する、クリップ向き決め用平坦部が設けられていることを特徴とする発泡成形部材の製造方法。
【請求項８】
請求項６に記載の発泡成形部材を被取付部材に取り付けた構造であって、
該被取付部材にクリップ係止用突起が設けられており、
該クリップ係止用突起が前記クリップの前記挿入穴に挿入されて前記係合部に係合したことにより、該発泡成形部材が該被取付部材に取り付けられている発泡成形部材の取付構造。
【請求項９】
請求項８において、前記クリップ係止用突起は、前記被取付部材から突出した突出部と、該突出部から側方へ張り出した爪部とを備え、該爪部が前記係合部に係合していることを特徴とする発泡成形部材の取付構造。
【発明の詳細な説明】
【技術分野】
【０００１】
本発明は、発泡成形体を被取付部材に取り付けるためのクリップに係り、特に、該被取付部材に設けられたクリップ係止用突起が挿入される挿入穴を有する筒状のクリップ本体と、該挿入穴の内周面に設けられた、該クリップ係止用突起が係合する係合部とを備えており、少なくとも該クリップ本体の筒軸心線方向の一端側が該発泡成形体中に埋設されることにより該発泡成形体と一体化されるクリップに関する。また、本発明は、このクリップが発泡成形体に埋設されるようにして該発泡成形体と一体化されてなる発泡成形部材と、この発泡成形部材の製造方法と、この発泡成形部材を該クリップを介して被取付部材に取り付けた取付構造とに関する。
【背景技術】
【０００２】
車両のドアの裏側（車内側）には、車両の側面衝突時の衝撃エネルギー吸収（Ｅｎｅｒｇｙ  Ａｂｓｏｒｐｔｉｏｎ：ＥＡ）のために、硬質ウレタンフォームよりなる衝撃エネルギー吸収材（以下、ＥＡ材と略すことがある。）が取り付けられている。このＥＡ材をドアトリムに取り付ける方法として、特開２００５−４７２２５（特許文献１）には、ＥＡ材にクリップを設けておき、このクリップを、ドアトリムに設けられたクリップ係止用突起に係合させることにより、ＥＡ材をドアトリムに取り付けることが記載されている。特許文献１では、このクリップは、一部がＥＡ材本体に埋設されるようにして該ＥＡ材本体と一体化されている。
【０００３】
第５図は、特許文献１の図６に記載のクリップ及びＥＡ材取付構造の説明図である。第５図（ａ）は、このＥＡ材取付構造を示す断面図、第５図（ｂ）は、このＥＡ材取付構造のクリップ係止用突起の斜視図、第５図（ｃ）は、このＥＡ材取付構造に用いられたクリップの縦断面斜視図である。
【０００４】
このＥＡ材取付構造においては、ＥＡ材１０１がドアトリム１０２に対しクリップ１０４及びクリップ係止用突起１０８を介して取り付けられている。
【０００５】
このクリップ係止用突起１０８は、ドアトリム１０２から突出する１対の突出部１０８ｂ，１０８ｂを有している。各突出部１０８ｂ，１０８ｂの先端側の側面に、それぞれ側方へ張り出す爪部１０８ａが設けられている。この爪部１０８ａは、各突出部１０８ｂの基端側ほど側方への張り出し高さが大きくなっている。
【０００６】
各突出部１０８ｂは、弾性を有した合成樹脂により形成されており、これらの突出部１０８ｂ，１０８ｂ同士は、互いに接近方向に弾性的に変形可能となっている。
【０００７】
クリップ１０４は、このクリップ係止用突起１０８が挿入される挿入穴１１２を有した円筒状のクリップ本体１０６と、該クリップ本体１０６の筒軸心線方向の一端側から外向き鍔状に張り出すアンカー部１０５と、該クリップ本体１０６の筒軸心線方向の他端側から外向き鍔状に張り出すフランジ部１０７とを備えている。該挿入穴１１２は、クリップ本体１０６の筒軸心線と垂直な断面形状が円形となっている（以下、挿入穴の断面形状とは、クリップ本体の筒軸心線と垂直な断面形状をいう。）。該挿入穴１１２は、クリップ本体１０６をその筒軸心線方向の一端面から他端面まで貫通している。挿入穴１１２の内周面には、周方向に凹段部１１３が凹設されている。
【０００８】
第５図（ａ）の通り、クリップ１０４は、クリップ本体１０６及びアンカー部１０５がＥＡ材１０１中に埋設されている。
【０００９】
このクリップ１０４を備えたＥＡ材１０１をドアトリム１０２に取り付ける場合には、クリップ係止用突起１０８を挿入穴１１２に挿入しながらＥＡ材１０１をドアトリム１０２に押し付ける。これにより、クリップ係止用突起１０８の各爪部１０８ａが挿入穴１１２内の凹段部１１３に弾性的に係合してクリップ１０４が該クリップ係止用突起１０８に係止され、ＥＡ材１０１がドアトリム１０２に固定される。
【００１０】
第６図は、特許文献１の図１に記載のクリップとＥＡ材成形用金型との係合関係を示す断面図である。第６図（ａ）は、このクリップをＥＡ材成形用金型のクリップ固定用突起に係合させる前の状態を示し、第６図（ｂ）は、このクリップをＥＡ材成形用金型のクリップ固定用突起に係合させた後の状態を示している。
【００１１】
第６図のクリップ１４０は、ドアトリムのクリップ係止用突起（第６図では図示略）が挿入される挿入穴１４２を有した角筒状のクリップ本体１４１を備えている。即ち、該挿入穴１４２は、周囲をそれぞれ平坦な第１の側面、第２の側面、第３の側面及び第４の側面によって囲まれた方形断面形状となっている。該挿入穴１４２は、クリップ本体１４１をその筒軸心線方向の一端面から他端面まで貫通している。
【００１２】
このクリップ１４０にあっては、挿入穴１４２は、クリップ本体１４１の筒軸心線方向の一端側と他端側とが大口径部１４２ａ，１４２ｃとなっており、両者の間が小口径部１４２ｂとなっている。この小口径部１４２ｂと大口径部１４２ｃとの間に、該挿入穴１４２の内方へ張り出す凸段部１４３が形成されている。小口径部１４２の内周面には、後述のクリップ固定用突起１５０に当接する凸部１４７が設けられている。
【００１３】
クリップ本体１４１の該他端側には外向き鍔状のアンカー部１４４が設けられ、該一端側には外向き鍔状のフランジ部１４５が設けられている。クリップ本体１４１の該アンカー部１４４側の端面には、挿入穴１４２（大口径部１４２ｃ）を封鎖した封体１４８が取り付けられている。
【００１４】
このクリップ１４０を備えたＥＡ材を製造する場合には、ＥＡ材成形用金型１６０の内面から突設された角柱状のクリップ固定用突起１５０を挿入穴１４２に挿入してクリップ１４０を該ＥＡ材成形用金型１６０の内面に取り付けておく。このクリップ固定用突起１５０は、挿入穴１４２の小口径部１４２ｂに差し込まれる。この際、小口径部１４２ｂの内周面の凸部１４７が押し縮められるようにしてクリップ固定用突起１５０の側面に当接することにより、クリップ１４０がクリップ固定用突起１５０に係止される。その後、該ＥＡ材成形用金型１６０内で発泡合成樹脂原料を発泡させてＥＡ材本体を成形することにより、クリップ１４０が一体化されたＥＡ材が製造される。
【００１５】
特許文献１では、クリップ本体１４１は、挿入穴１４２が方形断面形状の角筒状となっている。また、クリップ固定用突起１５０は、この挿入穴１４２に内嵌する方形断面形状の角柱状となっている。そのため、これらの角を合わせるようにしてクリップ固定用突起１５０を挿入穴１４２に挿入することにより、クリップ１４０を精度良く所定の向きにしてＥＡ材成形用金型１６０の内面に取り付けることができる。
【００１６】
このクリップ１４０を備えたＥＡ材をドアトリムに取り付ける場合には、第５図のＥＡ材取付構造と同様に、ドアトリムに設けられたクリップ係止用突起を挿入穴１４２に押し込んで該挿入穴１４２内の凸段部１４３にクリップ係止用突起の爪部を係合させる。
【先行技術文献】
【特許文献】
【００１７】
【特許文献１】特開２００５−４７２２５
【発明の概要】
【発明が解決しようとする課題】
【００１８】
上記第５図のクリップ１０４にあっては、挿入穴１１２は円形断面形状となっている。そのため、このクリップ１０４を備えたＥＡ材１０１を第６図と同様のＥＡ材成形用金型を用いて製造するに当り、この挿入穴１１２に該ＥＡ材成形用金型のクリップ固定用突起（第５図では図示略）を挿入したときに、上記第６図のクリップ１４０のように、その周方向の向きを精度良く所定の向きとして取り付けるのは容易ではない。
【００１９】
第６図のクリップ１４０にあっては、挿入穴１４２（小口径部１４２ｃ）にクリップ固定用突起１５０を挿入する際に、これらの角を合わせることにより、クリップ１４０を精度良く所定の向きにして取り付けることができるが、例えばこれらの角合わせを目視しながら行うことできない場合などには、これらの角合わせを容易に行うことができない可能性がある。
【００２０】
本発明は、クリップ本体の周方向の向きを容易に且つ精度良く所定の向きとして発泡成形体成形用金型のクリップ固定用突起に取り付けることが可能なクリップを提供することを目的とする。また、本発明は、このクリップが発泡成形体に埋設されるようにして該発泡成形体と一体化されてなる発泡成形部材と、この発泡成形部材の製造方法と、この発泡成形部材を被取付部材に取り付けた取付構造とを提供することを目的とする。
【課題を解決するための手段】
【００２１】
本発明（請求項１）のクリップは、発泡成形体を被取付部材に取り付けるためのクリップ（１０）であって、該被取付部材に設けられたクリップ係止用突起が挿入される挿入穴（１２）を有した筒状のクリップ本体（１１）と、該挿入穴の内周面に設けられた、該クリップ係止用突起が係合する係合部とを備えており、該挿入穴は、該クリップ本体をその筒軸心線方向に貫通しており、少なくとも該クリップ本体の筒軸心線方向の一端側が該発泡成形体に埋設されるようにして該発泡成形体と一体化されるクリップにおいて、該クリップ本体の筒軸心線と垂直な断面において、該挿入穴（１２）の内周面は、該挿入穴の弦方向に延在した平坦部（１２ａ）と、該クリップ本体の外周側に凸に湾曲した湾曲部（１２ｂ）とを有しており、前記係合部は、前記クリップ本体（１１）を外周側から前記挿入穴（１２）まで貫通した貫通孔（１６）よりなり、該クリップ（１０）は、クリップ本体（１１）と、該クリップ本体（１１）の筒軸心線方向の一端側から放射方向へ外向き鍔状に張り出したアンカー部（１３）と、該クリップ本体（１１）の筒軸心線方向の他端側から放射方向へ外向き鍔状に張り出したフランジ部（１４）とを備えており、該クリップ（１０）は合成樹脂の射出成形により成形されたものであり、該クリップ（１０）を射出成形するためのクリップ成形用金型（３０）は、クリップ本体（１１）の外周面、アンカー部（１３）のフランジ部（１４）側の面、及びフランジ部（１４）のアンカー部（１３）側の面を成形する第１及び第２の型（３１，３２）と、該アンカー部（１３）のフランジ部（１４）と反対側の面を成形する第３の型（３３）と、該フランジ部（１４）のアンカー部（１３）と反対側の面を成形する第４の型（３４）とを有しており、第１の型（３１）及び第２の型（３２）のうち、クリップ本体（１１）の外周面を成形するキャビティ面からは、それぞれ、貫通孔（１６）を形成するための貫通孔形成用凸部（３５）が突設されており、第３の型（３３）のキャビティ面からは、挿入穴（１２）を形成するための挿入穴形成用凸部（３６）が突設されており、該挿入穴形成用凸部（３６）の外周面は、挿入穴（１２）の平坦部（１２ａ）を成形する平坦部（３６ａ）と、湾曲部（１２ｂ）を成形する湾曲部（３６ｂ）とを有しており、これらの型（３１〜３４）を合体させて型締めした状態にあっては、挿入穴形成用凸部（３６）の先端が第４の型（３４）のキャビティ面に当接し、各貫通孔形成用凸部（３５）の先端がそれぞれこの挿入穴形成用凸部（３６）の外周面の各平坦部（３６ａ）に当接するようになっており、成形時に挿入穴形成用凸部（３６）が存在していた部分が脱型後に挿入穴（１２）となり、各貫通孔形成用凸部（３５）が存在していた部分が貫通孔（１６）となっていることを特徴とするものである。
【００２２】
請求項２のクリップは、請求項１において、前記クリップ本体の筒軸心線と垂直な断面において、前記挿入穴の内周面に、１対の前記平坦部が該クリップ本体の筒軸心線を挟んで対向するように設けられていることを特徴とするものである。
【００２３】
請求項３のクリップは、請求項１又は２において、前記合成樹脂は、ＡＢＳ樹脂、ポリプロピレン樹脂、ポリカーボネート樹脂、ポリスチレン樹脂、又はポリアセタール樹脂であることを特徴とするものである。
【００２４】
請求項４のクリップは、請求項１ないし３のいずれか１項において、前記クリップ本体の外周側に、前記貫通孔を封鎖した封体が設けられていることを特徴とするものである。
【００２５】
請求項５のクリップは、請求項４において、前記封体は不織布よりなることを特徴とするものである。
【００２６】
本発明（請求項６）の発泡成形部材は、発泡成形体と、請求項１ないし５のいずれか１項に記載のクリップとを有し、該クリップは、少なくとも前記クリップ本体の筒軸心線方向の一端側が該発泡成形体に埋設されることにより該発泡成形体と一体化されていることを特徴とするものである。
【００２７】
本発明（請求項７）の発泡成形部材の製造方法は、請求項６に記載の発泡成形部材を製造するための方法であって、発泡成形体成形用金型の内面に設けられたクリップ固定用突起を前記挿入穴に挿入して前記クリップを該発泡成形体成形用金型の内面に取り付けるクリップ取付工程と、該発泡成形体成形用金型内で前記発泡成形体を発泡成形する発泡成形工程とを有しており、該クリップ固定用突起の外周面には、該クリップ固定用突起が該挿入穴に挿入された状態において該挿入穴の内周面の前記平坦部に対峙する、クリップ向き決め用平坦部が設けられていることを特徴とするものである。
【００２８】
本発明（請求項８）の発泡成形部材の取付構造は、請求項６に記載の発泡成形部材を被取付部材に取り付けた構造であって、該被取付部材にクリップ係止用突起が設けられており、該クリップ係止用突起が前記クリップの前記挿入穴に挿入されて前記係合部に係合したことにより、該発泡成形部材が該被取付部材に取り付けられているものである。
【００２９】
請求項９の発泡成形部材の取付構造は、請求項８において、前記クリップ係止用突起は、前記被取付部材から突出した突出部と、該突出部から側方へ張り出した爪部とを備え、該爪部が前記係合部に係合していることを特徴とするものである。
【発明の効果】
【００３０】
本発明（請求項１）のクリップにあっては、クリップ本体の筒軸心線と垂直な断面において、挿入穴の内周面は、該挿入穴の弦方向に延在した平坦部と、該クリップ本体の外周側に凸に湾曲した湾曲部とを有している。そのため、このクリップが取り付けられる発泡成形体成形用金型のクリップ固定用突起の外周面に、この挿入穴の内周面の平坦部に対応するクリップの向き決め用平坦部を設けておき、このクリップ固定用突起を挿入穴に挿入するときに、これらの平坦部同士を合わせることにより、クリップは、クリップ本体の周方向の向きが必ず所定方向となるように該発泡成形体成形用金型に取り付けられることとなる。これにより、高い取付精度にてクリップを発泡成形体成形用金型に取り付けることが可能である。
【００３１】
本発明では、この挿入穴とクリップ固定用突起との平坦部同士の位置合わせに際しては、この挿入穴の内周面の湾曲部を該クリップ固定用突起の外周面に当て、この湾曲部を該クリップ固定用突起の外周面に沿って摺動させるようにしてクリップをクリップ本体の周方向に適宜回転させて、この挿入穴の平坦部がクリップ固定用突起の平坦部と重なる位置を探す。挿入穴の平坦部がクリップ固定用突起の平坦部に当ると、クリップの回転が止まるため、この挿入穴とクリップ固定用突起との平坦部同士が重なったことを容易に感取することができる。これにより、例えば挿入穴の内周面とクリップ係止用突起の外周面との係合状況を目視して確認しにくい場合などであっても、挿入穴とクリップ固定用突起との平坦部同士の位置合わせを容易に行うことが可能である。
【００３２】
請求項２の態様では、挿入穴の内周面に、クリップ本体の筒軸心線を挟んで対向するように１対の平坦部が設けられているので、クリップを該クリップ本体の周方向に１８０°反転させても、この挿入穴の平坦部とクリップ固定用突起の平坦部とを合わせて該クリップ固定用突起を挿入穴に挿入することができるようにクリップを構成することが可能である。これにより、クリップを発泡成形体成形用金型に取り付ける際のクリップの向き決めを容易化することが可能となる。
【００３３】
本発明にあっては、被取付部材のクリップ係止用突起が係合する係合部は、クリップ本体を外周側から挿入穴まで貫通した貫通孔よりなる。即ち、この態様では、挿入穴の内周面に、前述の第５図のクリップ１０４における凹段部１１３のようなアンダーカット部は存在しない。従って、このクリップは、比較的簡易な構造の金型を用いて射出成形により製造することが可能である。
【００３４】
また、このクリップにあっては、挿入穴の内周面に、前述の第６図のクリップ１４０の凸段部１４３のような、該挿入穴の内方へ張り出す凸段部も存在しない。そのため、このクリップを備えた発泡成形部材を製造するに際し、発泡成形体成形用金型のクリップ固定用突起を挿入穴に挿入してクリップを該発泡成形体成形用金型の内面に取り付けたときに、このクリップ固定用突起を挿入穴の内周面に密着させることが可能である。これにより、クリップ本体の端面に封体を設けて挿入穴を塞がなくても、発泡成形体の成形時に発泡合成樹脂がこの挿入穴とクリップ固定用突起との間に侵入することを防止することが可能である。
【００３５】
このように、本発明にあっては、クリップを比較的簡易な構造の金型を用いて製造することが可能であり、且つクリップ本体の端面に挿入穴を塞ぐ封体を設けることを不要とすることが可能であるため、クリップを低コストにて構成することが可能である。
【００３６】
請求項４の通り、クリップ本体の外周側に、前記貫通孔を閉鎖する封体を設けてもよい。このように構成することにより、発泡成形体の成形時に、この貫通孔に発泡合成樹脂が侵入することが防止される。
【００３７】
請求項５の通り、この封体を不織布により構成した場合には、発泡成形体の成形時に、この不織布に発泡合成樹脂が含浸することにより、クリップと発泡成形体との結合強度が向上する。
【００３８】
本発明（請求項６）の発泡成形部材は、かかる本発明のクリップを備えているため、高い取り付け精度にてクリップが発泡成形体と一体化されたものとすることが可能である。
【００３９】
本発明（請求項７）の発泡成形部材の製造方法にあっては、発泡成形体成形用金型の内面に設けられたクリップ固定用突起をクリップの挿入穴に挿入して該クリップを発泡成形体成形用金型の内面に取り付ける際に、該挿入穴の平坦部を、該クリップ固定用突起の外周面に設けられた向き決め用平坦部に合わせて挿入するため、高い取り付け精度にてクリップが発泡成形体と一体化された発泡成形部材を製造することが可能である。
【００４０】
本発明（請求項８）の発泡成形部材の取付構造にあっては、被取付部材のクリップ係止用突起をクリップの挿入穴に挿入して係合部に係合させることにより、簡単に発泡成形部材を被取付部材に取り付けることができる。
【００４１】
請求項９の通り、このクリップ係止用突起に、側方へ張り出す爪部を設け、この爪部をクリップの係合部に係合させることにより、クリップをしっかりとクリップ係止用突起に係止することができる。
【図面の簡単な説明】
【００４２】
【図１】実施の形態に係るクリップの説明図である。
【図２】図１のクリップの製造方法の説明図である。
【図３】図１のクリップを備えた発泡成形部材の製造方法の説明図である。
【図４】図３の発泡成形部材を被取付部材に取り付けた取付構造の説明図である。
【図５】第１の従来例に係るクリップ及びこのクリップを用いた発泡成形部材の取付構造の説明図である。
【図６】第２の従来例に係るクリップ及びこのクリップと発泡成形体成形用金型との係合関係を示す断面図である。
【発明を実施するための形態】
【００４３】
以下に、図面を参照して本発明の実施の形態について説明する。なお、以下の実施の形態では、発泡成形部材はＥＡ材であり、このＥＡ材を被取付部材としてのドアトリムに取り付けた取付構造を例示しているが、本発明の発泡成形部材は、ＥＡ材に限定されない。また、本発明において、被取付部材は、ドアトリムに限定されない。
【００４４】
第１図（ａ）は、実施の形態に係るクリップのクリップ本体の筒軸心線に沿う断面斜視図であり、第１図（ｂ）は第１図（ａ）のＢ−Ｂ線に沿う断面図であり、第１図（ｃ）は第１図（ｂ）のＣ−Ｃ線矢視図（クリップの側面図）である。第２図（ａ）は、このクリップを製造するためのクリップ成形用金型の縦断面図（第２図（ｂ）のＡ−Ａ線に沿う断面図）であり、第２図（ｂ）は第２図（ａ）のＢ−Ｂ線に沿う断面図であり、第２図（ｃ）は、このクリップ成形用金型の型開き状態における第２図（ａ）と同様部分の縦断面図である。第３図（ａ）は、このクリップを備えた発泡成形部材としてのＥＡ材を製造するためのＥＡ材成形用金型の縦断面図であり、第３図（ｂ）は、クリップが取り付けられる前のＥＡ材成形用金型のクリップ固定用突起付近の拡大断面図であり、第３図（ｃ）は第３図（ｂ）のＣ−Ｃ線矢視図であり、第３図（ｄ）は、該クリップ固定用突起にクリップが取り付けられた状態を示す第３図（ｂ）と同様部分の断面図である。なお、第３図（ａ），（ｂ），（ｄ）は、それぞれ、該クリップ固定用突起の軸心線に沿う断面にて図示されている。第４図（ａ）は、このＥＡ材を被取付部材としてのドアトリムに取り付けた取付構造の水平断面図であり、第４図（ｂ）は、ＥＡ材を取り付ける前のドアトリムの水平断面図であり、第４図（ｃ）は第４図（ｂ）のＣ−Ｃ線矢視図である。なお、第４図（ａ）は、クリップ本体の筒軸心線に沿う断面を示しており、第４図（ｂ）は第４図（ａ）と同様部分の断面を示している。
【００４５】
ＥＡ材１は、第３図（ａ）及び第４図（ａ）の通り、硬質ウレタンフォーム等の発泡合成樹脂成形体よりなるＥＡ材本体２と、該ＥＡ材本体２をドアトリム２０に取り付けるためのクリップ１０とを備えている。クリップ１０は、インサート成形によりＥＡ材本体２と一体化されている。このクリップ１０が、ドアトリム２０に設けられたクリップ係止用突起２１（第４図（ａ）〜（ｃ））に係止されることにより、ＥＡ材１がドアトリム２０に取り付けられる。ＥＡ材本体２のドアトリム２０との対峙面には、クリップ１０が複数個、所定位置に配設されており、ドアトリム２０のＥＡ材取付面には、これらのクリップ１０とそれぞれ対応する位置関係にて、複数個のクリップ係止用突起２１が設けられている。このクリップ係止用突起２１の詳細については後述する。
【００４６】
クリップ１０は、該クリップ係止用突起２１が挿入される挿入穴１２を有した略円筒形状のクリップ本体１１と、該クリップ本体１１の筒軸心線方向の一端側から放射方向へ外向き鍔状に張り出したアンカー部１３と、該クリップ本体１１の筒軸心線方向の他端側から放射方向へ外向き鍔状に張り出したフランジ部１４等を備えている。該挿入穴１２は、クリップ本体１１をその筒軸心線方向に貫通している。該挿入穴１２の内径は、クリップ本体１１の先端側から後端側まで実質的に一定となっている。アンカー部１３及びフランジ部１４は、それぞれ、該クリップ本体１１の筒軸心線方向の両端側の端面と面一状に形成されている。挿入穴１２の内周面には、クリップ係止用突起２１から側方へ張り出した後述の爪部２３が係合する係合部１５が設けられている。
【００４７】
本発明では、第１図（ｂ）の通り、クリップ本体１１の筒軸心線と垂直な断面において、挿入穴１２の内周面は、該挿入穴１２の弦方向に延在した平坦部１２ａと、クリップ本体１１の外周側に凸に湾曲した湾曲部１２ｂとを有している。この実施の形態では、第１図（ｂ）の通り、クリップ本体１１の筒軸心線と垂直な断面において、挿入穴１２の内周面は、該クリップ本体１１の筒軸心線を挟んで対向する１対の平坦部１２ａ，１２ａと、これらの平坦部１２ａ，１２ａの一端側同士及び他端側同士をそれぞれ繋いだ１対の湾曲部１２ｂ，１２ｂとを有した略小判形の断面形状となっている。
【００４８】
第１図（ａ）の通り、各平坦部１２ａ及び各湾曲部１２ｂは、それぞれ、クリップ本体１１の筒軸心線方向の一端側から他端側まで連続して形成されている。第１図（ｂ）の通り、これらの平坦部１２ａ，１２ａ同士は、互いに略平行に延在している。各平坦部１２ａの幅（クリップ本体１１の筒軸心線と直交方向の幅。以下、同様。）は、該クリップ本体１１の筒軸心線方向の一端側から他端側まで実質的に一定となっている。各平坦部１２ａの幅は、挿入穴１２の最大内径（各平坦部１２ａの幅方向と平行方向における湾曲部１２ｂ，１２ｂ同士の間隔の最大値）の２０〜８０％特に３０〜７０％程度であることが好ましい。平坦部１２ａ，１２ａ同士の間隔は、この挿入穴１２の最大内径の７０〜９５％特に８０〜９０％程度であることが好ましい。この実施の形態では、湾曲部１２ｂ，１２ｂ同士は、実質的にクリップ本体１１の軸心を共通の曲率中心とし、実質的に同一の曲率半径にて湾曲した円弧形断面形状となっている。なお、挿入穴１２の断面形状はこれに限定されない。例えば、平坦部１２ａの個数や配置はこれに限定されるものではなく、例えば１個だけ又は３個以上設けられてもよい。湾曲部１２ｂは、挿入穴１２の中心を曲率中心として湾曲していなくてもよく、湾曲部１２ｂ，１２ｂ同士は、異なる曲率中心及び曲率半径を有するものであってもよい。
【００４９】
この実施の形態では、第１図（ｂ）の通り、クリップ本体１１の外周面は、挿入穴１２と相似形の断面形状となっているが、クリップ本体１１の外周面の断面形状はこれに限定されない。例えば、クリップ本体１１の外周面の断面形状と挿入穴１２の断面形状とが互いに異なる形状であってもよい。この実施の形態では、クリップ本体１１の筒軸心線の延長方向から見たアンカー部１３及びフランジ部１４の平面視形状は円形となっているが、これに限定されない。
【００５０】
第１図（ａ）〜（ｃ）及び第２図（ｃ）の通り、この実施の形態では、クリップ本体１１を外周側から挿入穴１２内まで貫通する貫通孔１６が設けられており、この貫通孔１６により前記係合部１５が設けられている。即ち、挿入穴１２にクリップ係止用突起２１が挿入されると、該クリップ係止用突起２１の爪部２３がこの貫通孔１６に入り込んでこの貫通孔１６の縁部に係合するようになる。
【００５１】
この実施の形態では、第１図（ａ），（ｂ）及び第２図（ｃ）の通り、２個の貫通孔１６がクリップ本体１１の中心を挟んで対峙するように設けられている。この実施の形態では、これらの貫通孔１６は、各平坦部１２ａにそれぞれ配置されている。各貫通孔１６は、クリップ本体１１を各平坦部１２ａの延在方向と直交方向に貫通している。各貫通孔１６は、各平坦部１２ａの幅方向の中間部に配置されている。また、各貫通孔１６は、クリップ本体１１の筒軸心線方向の中間部に配置されている（即ち、各貫通孔１６は、クリップ本体１１の筒軸心線方向の一端側の端面及び他端側の端面からそれぞれ等距離に位置している）。この実施の形態では、第１図（ｃ）の通り、クリップ１０を側面視したときの各貫通孔１６の開口形状は、直交する２辺がそれぞれクリップ本体１１の筒軸心線と平行方向及びこれと直交方向に延在した略正方形状となっている。
【００５２】
なお、貫通孔１６の個数及び配置、開口形状はこれに限定されない。例えば、貫通孔１６は、１個又は３個以上設けられてもよい。挿入穴１２の各湾曲部１２ｂにそれぞれ貫通孔１６が設けられてもよい。挿入穴１２の各平坦部１２ａと各湾曲部１２ｂの双方にそれぞれ貫通孔１６が設けられてもよい。隣り合う平坦部１２ａと湾曲部１２ｂとに跨って貫通孔１６が設けられてもよい。貫通孔１６の開口形状は、クリップ係止用突起２１の爪部２３の形状に応じて種々の形状とすることができる。あるいは、例えばクリップ１０の取付誤差を吸収するために、この貫通孔１６を、クリップ本体１１の周方向に長い長穴状としてもよい。
【００５３】
第１図（ａ）〜（ｃ）の通り、この実施の形態では、クリップ本体１１の外周面に、各貫通孔１６を封鎖する封体１７が設けられている。この実施の形態では、該封体１７は、帯状のものであり、クリップ本体１１の外周を周回するように設けられている。これにより、１枚の封体１７によって全ての貫通孔１６が封鎖されたものとなっている。なお、封体１７の形状や配置はこれに限定されない。例えば、小片状の封体１７を貫通孔１６と同数個用意し、この小片状の封体１７で各貫通孔１６を個別に封鎖するようにしてもよい。この封体１７は、構成材料によっても異なるが、接着や粘着、溶着等の結合手段によりクリップ本体１１の外周面に結合されている。
【００５４】
この封体１７を構成する材料としては、例えば不織布等の布材や、合成樹脂製のテープ等が好適である。なお、封体１７を構成する材料はこれに限定されない。本発明においては、この封体１７は省略されてもよい。
【００５５】
このクリップ１０は、合成樹脂の射出成形品よりなる。このクリップ１０を構成する材料としては、例えばＡＢＳ樹脂、ポリプロピレン樹脂、ポリカーボネート樹脂、ポリスチレン樹脂、ポリアセタール樹脂（ポリオキシメチレン樹脂）等が好適であるが、これに限定されない。
【００５６】
以下に、このクリップ１０の製造方法について説明する。なお、以下の製造方法は一例であり、クリップ１０の製造方法はこれに限定されない。
【００５７】
第２図（ａ）〜（ｃ）の通り、このクリップ１０を製造するためのクリップ成形用金型３０は、クリップ本体１１の外周面、アンカー部１３のフランジ部１４側の面、及びフランジ部１４のアンカー部１３側の面の半周分をそれぞれ成形する第１の型３１と、該クリップ本体１１の外周面、アンカー部１３のフランジ部１４側の面、及びフランジ部１４のアンカー部１３側の面の残りの半周分をそれぞれ成形する第２の型３２と、該アンカー部１３のフランジ部１４と反対側の面を成形する第３の型３３と、該フランジ部１４のアンカー部１３と反対側の面を成形する第４の型３４とを有している。
【００５８】
第１の型３１及び第２の型３２のうち、クリップ本体１１の外周面を成形するキャビティ面からは、それぞれ、貫通孔１６を形成するための貫通孔形成用凸部３５が突設されている。第３の型３３のキャビティ面からは、挿入穴１２を形成するための挿入穴形成用凸部３６が突設されている。第２図（ｂ）の通り、この挿入穴形成用凸部３６は、その軸心線と垂直な断面形状が実質的に該挿入穴１２の断面形状と合致する形状となっている。即ち、この挿入穴形成用凸部３６の外周面は、挿入穴１２の各平坦部１２ａを成形する１対の平坦部３６ａと、各湾曲部１２ｂを成形する１対の湾曲部３６ｂとを有した略小判形の断面形状となっている。
【００５９】
この実施の形態では、第１の型３１と第２の型３２とは、第２図（ｂ）の通り、挿入穴形成用凸部３６の各湾曲部３６ｂ，３６ｂの周方向の中間付近で二分された構成となっている。これらの第１の型３１と第２の型３２とは、該挿入穴形成用凸部３６の各平坦部３６ａの延在方向と直交方向に離反可能となっている。各貫通孔形成用凸部３５は、それぞれ、軸心線をこの第１の型３１と第２の型３２との離反方向と平行方向として設けられている。第３の型３３と第４の型３４とは、第１の型３１及び第２の型３２から挿入穴１２の軸心線の延長方向に離反可能となっている。
【００６０】
第２図（ａ），（ｂ）の通り、これらの型３１〜３４を合体させて型締めした状態にあっては、挿入穴形成用凸部３６の先端が第４の型３４のキャビティ面に当接し、各貫通孔形成用凸部３５の先端がそれぞれこの挿入穴形成用凸部３６の外周面の各平坦部３６ａに当接するようになっている。なお、挿入穴形成用凸部３６は、第４の型３４のキャビティ面から突設されてもよい。あるいは、第３の型３３のキャビティ面からこの挿入穴形成用凸部３６の一半側が突設されると共に、第４の型３４のキャビティ面からこの挿入穴形成用凸部３６の他半側が突設され、型締めしたときにこれらの凸部３６，３６の先端同士が当接するように構成されてもよい。
【００６１】
第２図（ａ），（ｂ）の通りこれらの型３１〜３４を合体させて型締めした後、クリップ１０の成形材料を型内に注入する。この成形材料が硬化した後、第２図（ｃ）の通り型開きしてクリップ１０の成形品を取り出す。この成形時に挿入穴形成用凸部３６が存在していた部分が脱型後に挿入穴１２となり、各貫通孔形成用凸部３５が存在していた部分が、それぞれ、クリップ本体１１の外周側からこの挿入穴１２に連通した貫通孔１６となる。その後、必要に応じバリ取り等の仕上げ作業をした後、クリップ本体１１の外周面に、各貫通孔１６を覆うように封体１７を巻き付けることにより、クリップ１０が完成する。
【００６２】
次に、このクリップ１０を備えたＥＡ材１の製造方法について説明する。なお、以下の製造方法は一例であり、ＥＡ材１の製造方法はこれに限定されない。
【００６３】
第３図（ａ）のＥＡ材成形用金型４０は、上型４１と、下型４２とを備えている。なお、ＥＡ材成形用金型４０の構成はこれに限定されない。この実施の形態では、該ＥＡ材成形用金型４０内において、ＥＡ材本体２は、ドアトリム２０との対峙面を上向きにして成形される。上型４１のキャビティ面からは、クリップ１０を該キャビティ面に固定するためのクリップ固定用突起４３が突設されている。上型４１のキャビティ面には、前述のクリップ１０の配置と対応する位置関係にて複数個のクリップ固定用突起４３が配設されている。
【００６４】
この実施の形態では、第３図（ａ）〜（ｄ）の通り、該クリップ固定用突起４３は、該上型４１のキャビティ面からＥＡ材成形用金型４０の内方へ突出した軸部４３ａを有している。第３図（ｃ）の通り、この軸部４３ａの軸心線と垂直な断面形状は、クリップ１０の挿入穴１２と実質的に相似形状となっている。即ち、この軸部４３ａの外周面も、挿入穴１２の各平坦部１２ａに対応する１対の平坦部４３ｂと、各湾曲部１２ｂに対応する１対の湾曲部４３ｃとを有した略小判形の断面形状となっている。この軸部４３ａは、クリップ１０の挿入穴１２に挿入されたときに、その外周面が該挿入穴１２の内周面に実質的に密着する太さ（好ましくは、クリップ固定用突起４３を挿入穴１２に挿入したときに、後述の張出部４４以外の部分において、該軸部４３ａの外周面と挿入穴１２の内周面との間に０．０５〜０．５ｍｍ特に０．０５〜０．２ｍｍ程度の隙間があく太さ）となっている。
【００６５】
上型４１のキャビティ面からの軸部４３ａの起立高さは、第３図（ｄ）の通り、クリップ１０のフランジ部１４が該上型４１のキャビティ面に当接するまでクリップ固定用突起４３を挿入穴１２に挿入した状態において、該軸部４３ａの先端が各貫通孔１６よりもアンカー部１３側に位置し、且つクリップ本体１１の該アンカー部１３側の端面から突出しない大きさとなっている。具体的には、この軸部４３ａの起立高さは、クリップ本体１１のアンカー部１３側の端面からフランジ部１４側の端面までの距離（即ちクリップ本体１１の筒軸心線方向の長さ）の８５〜９５％特に８５〜９０％程度であることが好ましい。
【００６６】
この実施の形態では、第３図（ｃ）の通り、軸部４３ａの外周面に、該外周面から僅かに側方へ張り出した張出部４４が設けられている。軸部４３ａの外周面からの張出部４４の張り出し高さは、０．０５〜０．２ｍｍ特に０．０５〜０．１ｍｍ程度であることが好ましい。第３図（ｃ）の通り、この実施の形態では、１対の張出部４４が該軸部４３ａの各平坦部４３ｂにそれぞれ設けられている。各張出部４４の張り出し方向の先端側の端面は、各平坦部４３ｂと平行に延在した平坦面となっている。ただし、張出部４４の個数や配置、形状はこれに限定されない。
【００６７】
この張出部４４の分だけクリップ固定用突起４３の太さが挿入穴１２の内径よりも大きくなるので、クリップ固定用突起４３が挿入穴１２に圧入されるようになる。即ち、クリップ固定用突起４３が挿入穴１２に挿入された状態においては、各張出部４４が挿入穴１２の内周面に食い込み、その他の部分では軸部４３ａの外周面が実質的に該挿入穴１２の内周面に密着するようになる。これにより、発泡成形中におけるクリップ固定用突起４３の挿入穴１２からの抜け出し、即ちクリップ１０のクリップ固定用突起４３からの脱落が防止される。また、クリップ固定用突起４３の外周面と挿入穴１２の内周面との間に発泡合成樹脂が侵入することが防止される。
【００６８】
なお、各張出部４４は、それぞれ、挿入穴１２にクリップ固定用突起４３が挿入されたときに各貫通孔１６に係合するように設けられてもよい。
【００６９】
ＥＡ材１を製造する場合には、まず、上型４１と下型４２とを型開きした状態において、上型４１の各クリップ固定用突起４３を挿入穴１２に挿入して各クリップ１０を上型４１のキャビティ面に取り付ける。この際、該挿入穴１２の内周面の各平坦部１２ａをクリップ固定用突起４３の軸部４３ａの外周面の各平坦部４３ｂに合わせるようにして該挿入穴１２にクリップ固定用突起４３を挿入する。
【００７０】
このように挿入穴１２の各平坦部１２ａをクリップ固定用突起４３の各平坦部４３ｂに合わせるようにして該挿入穴１２にクリップ固定用突起４３を挿入することにより、クリップ１０は、各貫通孔１６（各係合部１５）が必ず所定方向を向いた姿勢で上型４１のキャビティ面に取り付けられるようになるため、クリップ１０の取付精度が高い。
【００７１】
この挿入穴１２とクリップ固定用突起４３との平坦部１２ａ，４３ｂ同士の位置合わせに際しては、まず、クリップ１０を若干斜めにして挿入穴１２にクリップ固定用突起４３の軸部４３ａの先端部を挿入し、この挿入穴１２の入口側の縁部の一方の湾曲部１２ｂを該軸部４３ａの外周面に当てる。そして、この湾曲部１２ｂを軸部４３ａの外周面に沿って摺動させるようにしてクリップ１０をクリップ本体１１の周方向に適宜回転させ、挿入穴１２の平坦部１２ａが軸部４３ａの平坦部４３ｂに当る位置を探る。挿入穴１２の平坦部１２ａがクリップ固定用突起４３の平坦部４３ｂに当ると、クリップ１０の回転が止まるため、この挿入穴１２とクリップ固定用突起４３との平坦部１２ａ，４３ｂ同士が重なったことを容易に感取することができる。これにより、挿入穴１２とクリップ固定用突起４３との平坦部１２ａ，４３ｂ同士の位置合わせを容易に行うことができる。
【００７２】
上記の通り、この実施の形態では、クリップ固定用突起４３がクリップ１０の挿入穴１２に圧入されるため、クリップ１０がクリップ固定用突起４３にしっかりと固定される。その後、下型４２内にＥＡ材本体２の発泡合成樹脂原料を注入し、上型４１と下型４２とを型締めして該発泡合成樹脂原料を発泡させる。この発泡合成樹脂は、第３図（ａ）の通り、下型４２のキャビティ底面から上型４１のキャビティ天井面まで膨張して金型４０内のキャビティ空間を充填する。これにより、ＥＡ材本体２が成形される。また、この際、各クリップ１０のアンカー部１３、クリップ本体１１、並びにフランジ部１４の該アンカー部１３側の面が該発泡合成樹脂中に埋没することにより、各クリップ１０がＥＡ材本体２と一体化される。
【００７３】
この発泡合成樹脂が硬化した後、上型４１と下型４２とを型開きしてＥＡ材本体２及び各クリップ１０を脱型する。各クリップ１０は、各々のフランジ部１４が該ＥＡ材本体２のドアトリム２０との対峙面に露出したものとなっている。このフランジ部１４の中央に挿入穴１２が開口している。脱型後、必要に応じバリ取り等の仕上げ作業を行うことにより、ＥＡ材１が完成する。
【００７４】
次に、このＥＡ材１のドアトリム２０への取付構造について説明する。
【００７５】
前述の通り、ドアトリム２０のＥＡ材取付面には、ＥＡ材１の各クリップ１０とそれぞれ対応する位置関係にてクリップ係止用突起２１が設けられている。第４図（ａ）〜（ｃ）の通り、この実施の形態では、該クリップ係止用突起２１は、ドアトリム２０のＥＡ材取付面から立設された２個の突出部２２を備えている。第４図（ｃ）の通り、これらの突出部２２は、それぞれ、挿入穴１２に挿入されたときに該挿入穴の内周面の各平坦部１２ａに対峙する位置に配置されている。また、これらの突出部２２は、相互間に所定の間隔をあけて配置されている。これらの突出部２２は、弾性を有した合成樹脂により形成されており、向かい合う突出部２２，２２同士が互いに接近方向に弾性的に変形可能となっている。なお、この実施の形態では、該突出部２２はドアトリム２０と同一の材料により一体に形成されている。
【００７６】
この実施の形態では、ドアトリム２０のＥＡ材取付面からの各突出部２２の突出高さは、第４図（ａ）の通り、クリップ本体１１の筒軸心線方向の長さと実質的に同一か、それよりも若干小さいものとなっている。具体的には、各突出部２２の突出高さは、クリップ本体１１の筒軸心線方向の長さの８５〜９５％特に８５〜９０％程度であることが好ましい。これにより、クリップ１０のフランジ部１４がドアトリム２０のＥＡ材取付面に当接するまで各突出部２２を挿入穴１２に挿入した状態において、各突出部２２の先端がクリップ本体１１のアンカー部１３側の端面から突出しないようになっている。
【００７７】
第４図（ｂ）の通り、各突出部２２の側面には、それぞれ、側方（突出部２２のＥＡ材取付面からの突出方向と直交方向）へ張り出す爪部２３が設けられている。突出部２２，２２同士の間では、爪部２３，２３同士は、互いに反対方向に張り出している。この実施の形態では、各爪部２３は、第４図（ａ），（ｂ）の通り、各突出部２２の先端側ほど該突出部２２の側面からの張り出し高さが小さくなるテーパ形状となっている。
【００７８】
なお、クリップ係止用突起２１の構成はこれに限定されるものではない。例えば、挿入穴１２の各平坦部１２ａ及び各湾曲部１２ｂの４面全てに貫通孔１６が設けられている場合には、クリップ係止用突起２１は、これらの平坦部１２ａ及び湾曲部１２ｂにそれぞれ対面するように配置された４個の突出部２２と、これらの突出部２２から各貫通孔１６に係合するように側方へ張り出した４個の爪部２３とを有した構成とされてもよい。
【００７９】
ＥＡ材１をドアトリム２０に取り付ける場合、ドアトリム２０の各クリップ係止用突起２１を対応するＥＡ材１の各クリップ１０の挿入穴１２に挿入しつつ、ＥＡ材１をドアトリム２０に押し付ける。この際、各クリップ係止用突起２１においては、各爪部２３が挿通穴１２の内周面に押し付けられることにより、突出部２２，２２同士が接近方向に撓みながら該挿入穴１２に差し込まれる。そして、第４図（ａ）の通り、クリップ１０のフランジ部１４がドアトリム２０のＥＡ材取付面に当接するまで突出部２２，２２が挿入穴１２に差し込まれると、各爪部２３が各貫通孔１６に達する。これにより、突出部２２，２２同士を接近方向に撓ませていた力が解除されて該突出部２２，２２がそれぞれ元形状に復帰し、これにより各爪部２３が各貫通孔１６に入り込んで該貫通孔１６の縁部（即ち係合部１５）に係合する。これにより、各クリップ１０が各クリップ係止用突起２１に係止され、ＥＡ材１がドアトリム２０に取り付けられる。
【００８０】
前述の通り、本発明のクリップ１０にあっては、クリップ本体１１の筒軸心線方向と垂直な断面において、挿入穴１２の内周面は、該挿入穴１２の弦方向に延在した１対の平坦部１２ａと、該クリップ本体１１の外周側に凸に湾曲した１対の湾曲部１２ｂとを有した形状となっている。そのため、ＥＡ材本体２を発泡成形するに際し、クリップ１０をＥＡ材成形用金型４０に取り付けるときに、この挿入穴１２の内周面の各平坦部１２ａを該ＥＡ材成形用金型４０のクリップ固定用突起４３の外周面の各平坦部４３ｂに合わせるようにして該クリップ固定用突起４３を挿入穴１２に挿入することにより、クリップ１０は、各貫通孔１６（各係合部１５）が必ず所定方向を向いた姿勢で上型４１のキャビティ面に取り付けられるようになる。これにより、高い取付精度にてクリップ１０をＥＡ材成形用金型４０に取り付けることが可能である。
【００８１】
本発明では、この挿入穴１２とクリップ固定用突起４３との平坦部１２ａ，４３ｂ同士の位置合わせに際しては、まず、クリップ１０を若干斜めにして挿入穴１２にクリップ固定用突起４３の軸部４３ａの先端部を挿入し、この挿入穴１２の入口側の縁部の一方の湾曲部１２ｂを該軸部４３ａの外周面に当てる。そして、この湾曲部１２ｂを軸部４３ａの外周面に沿って摺動させるようにしてクリップ１０をクリップ本体１１の周方向に適宜回転させ、挿入穴１２の平坦部１２ａが軸部４３ａの平坦部４３ｂに当る位置を探る。挿入穴１２の平坦部１２ａがクリップ固定用突起４３の平坦部４３ｂに当ると、クリップ１０の回転が止まるため、この挿入穴１２とクリップ固定用突起４３との平坦部１２ａ，４３ｂ同士が重なったことを容易に感取することができる。これにより、挿入穴１２とクリップ固定用突起４３との平坦部１２ａ，４３ｂ同士の位置合わせを容易に行うことが可能である。
【００８２】
この実施の形態では、挿入穴１２の内周面に、クリップ本体１１の筒軸心線を挟んで対向するように１対の平坦部１２ａが設けられているので、クリップ１０をクリップ本体１１の周方向に１８０°反転させても、この挿入穴１２の平坦部１２ａとクリップ固定用突起４３の平坦部４３ｂとを合わせて該クリップ固定用突起４３を挿入穴１２に挿入することができるようにクリップ１０を構成することが可能である。これにより、クリップ１０をＥＡ材本体成形用金型４０に取り付ける際のクリップ１０の向き決めを容易化することが可能となる。
【００８３】
この実施の形態では、クリップ１０の係合部１５は、挿入穴１２の各側面１２ａ〜１２ｄをクリップ本体１１の外周側から挿入穴１２内まで貫通した貫通孔１６により形成されている。即ち、このクリップ１０は、挿入穴１２内にアンダーカット部を有していない。そのため、このクリップ１０は、第２図（ａ）〜（ｃ）のような簡易な構造の金型３０を用いた射出成形により容易に製造することができる。
【００８４】
また、このクリップ１０にあっては、挿入穴１２内に、該挿入穴１２の内方へ張り出す段部も形成されていない。そのため、第４図（ａ），（ｄ）の通り、ＥＡ材本体２を発泡成形するに際し、ＥＡ材成形用金型４０のクリップ固定用突起４３を該挿入穴１２に挿入してクリップ１０を該ＥＡ材成形用金型４０に取り付けたときに、このクリップ固定用突起４３の軸部４３ａの外面を挿入穴１２の内面に密着させることが可能である。これにより、クリップ本体１２のアンカー部１３側の端面に封体を設けて挿入穴１２を塞がなくても、ＥＡ材本体２の成形時に発泡合成樹脂がこの挿入穴１２とクリップ固定用突起４３との間に侵入することを防止することができる。
【００８５】
以上のように、この実施の形態では、クリップ１０を比較的簡易な構造の金型３０を用いて製造することが可能であり、且つ挿入穴１２を塞ぐ封体を設けることを不要とすることが可能であるため、クリップ１０を低コストにて構成することが可能である。
【００８６】
この実施の形態では、クリップ本体１１の外周側から各貫通孔１６を閉鎖するように封体１７が設けられているので、ＥＡ材本体２の発泡成形時に各貫通孔１６内に発泡合成樹脂原料が侵入することが防止される。
【００８７】
この実施の形態では、該封体１７は不織布よりなる。そのため、ＥＡ材本体２の発泡成形中に、該封体１７に発泡合成樹脂が接触したときに、この不織布に発泡合成樹脂が含浸するようになる。これにより、クリップ本体１１とＥＡ材本体２との結合強度がより高いものとなる。
【００８８】
この実施の形態では、ＥＡ材１を製造する際に、ＥＡ材成形用金型４０のクリップ固定用突起４３をクリップ１０の挿入穴１２に挿入して該クリップ１０をＥＡ材成形用金型４０の内面に取り付けたときに、このクリップ固定用突起４３の外面を挿入穴１２の内面に密着させるため、挿入穴１２の端面を封体で塞がなくても、ＥＡ材本体２の成形時に発泡合成樹脂がこの挿入穴１２とクリップ固定用突起４３との間に侵入することが防止される。
【００８９】
本発明のＥＡ材１の取付構造にあっては、ドアトリム２０のクリップ係止用突起２１をクリップ１０の挿入穴１２に挿入して係合部１５に係合させることにより、簡単にＥＡ材１をドアトリム２０に取り付けることができる。
【００９０】
この実施の形態では、このクリップ係止用突起２１に、側方へ張り出す爪部２３を設け、この爪部２３をクリップ１０の係合部１５（貫通孔１６）に係合させているので、クリップ１０をしっかりとクリップ係止用突起２１に係止することができる。
【００９１】
上記実施の形態はいずれも本発明の一例であり、本発明は上記以外の形態をもとりうる。
【００９２】
上記の実施の形態は、ＥＡ材及びその取付用クリップ、並びにそのドアトリムへの取付構造への本発明の適用例を示しているが、本発明は、これ以外の発泡成形部材及びその取付用クリップ、並びにその取付構造にも適用可能である。
【符号の説明】
【００９３】
１  ＥＡ材（発泡成形部材）
２  ＥＡ材本体（発泡成形体）
１０  クリップ
１１  クリップ本体
１２  挿入穴
１２ａ  平坦部
１２ｂ  湾曲部
１３  アンカー部
１４  フランジ部
１５  係合部
１６  貫通孔
１７  封体
２０  ドアトリム（被取付部材）
２１  クリップ係止用突起
２２  突出部
２３  爪部
３０  クリップ成形用金型
３５  貫通孔形成用凸部
３６  挿入穴形成用凸部
４０  ＥＡ材成形用金型
４３  クリップ固定用突起
４３ｂ  平坦部
４３ｃ  湾曲部
【図１】
0005605069.tif 000002
【図２】
0005605069.tif 000003
【図３】
0005605069.tif 000004
【図４】
0005605069.tif 000005
【図５】
0005605069.tif 000006
【図６】
0005605069.tif 000007